(57)【要約】      （修正有）【課題】  シート状物押え装置において、シート状物に傷を付けないようにするとともにカム飛びを防止する。【解決手段】  カムフォロア２５が小径部２７ａに添接すると、シート押え部材１８がシート押え位置に位置付けられ、カムフォロア２５が大径部２７ｂに添接すると、シート押え位置から退避位置に位置付けられる。レバー２２を付勢する付勢手段は、ばね受け９とレバー２２に設けられたばね受け２８とに両端部が摺動自在に支持されたシャフト３０と、第１および第２の圧縮コイルばね３１，３２とからなる。第１の圧縮コイルばね３１はばね受け２８とシャフト３０との間に弾装され、第２の圧縮コイルばね３２はばね受け９とシャフト３０との間に弾装されている。第１の圧縮コイルばね３１の弾発力が、第２の圧縮コイルばね３２の弾発力よりも小さく設定されている。【選択図】  図２
2006347701.tif 000002
【特許請求の範囲】
【請求項１】
カム面を有し回転自在に支持されたカムと、
前記カム面に当接するカムフォロアを支持し、前記カムの回転動作により移動するレバーと、
このレバーに支持され、前記カムの回転動作により、積載されたシート状物を押さえる押え位置と、この押え位置から退避した退避位置との間で移動自在に支持されたシート押え部材と、
前記レバーと支持部材との間に設けられ、前記レバーを付勢することにより前記カムフォロアを前記カム面に圧接させる付勢手段とを備えたシート状物押え装置において、
前記付勢手段は、第１の付勢手段と、この第１の付勢手段よりも付勢力が大きい第２の付勢手段とからなり、
前記第１の付勢手段は、前記シート押え部材が前記押え位置に位置したときの前記カム面に対する前記カムフォロアの付勢を行い、前記第１および第２の付勢手段は、前記シート押え部材が前記退避位置に位置したときの前記カム面に対する前記カムフォロアの付勢を行うことを特徴とするシート状物押え装置。
【請求項２】
請求項１記載のシート状物押え装置において、
前記付勢手段は、前記レバーに一端部が摺動自在に支持され、前記支持部材に他端部が摺動自在に支持されたシャフトと、第１の付勢手段と、この第１の付勢手段の弾発力よりも大きい弾発力を有する第２の付勢手段とを備え、
前記第１の付勢手段は、前記シャフトと前記レバーとの間に弾装され、
前記第２の付勢手段は、前記シャフトと前記支持部材との間に弾装され、
前記レバーと前記シャフトとの間に、前記レバーが前記第１の付勢手段の弾発力に抗して移動することにより、前記シャフトを前記第２の付勢手段の弾発力に抗して前記レバーと一体的に移動させる係合手段を設けたことを特徴とするシート状物押え装置。
【請求項３】
請求項２記載のシート状物押え装置において、
前記第１の付勢手段の弾発力を、前記シート押え部材が前記押え位置に位置したときにシート押え部材によってシートを変形させない強さとし、
前記第２の付勢手段の弾発力を、前記シート押え部材が前記退避位置に位置したときから前記シート押え部材が前記押え位置に位置する方向へ移動したときに前記カムフォロアを前記カム面から離間させない強さとしたことを特徴とするシート状物押え装置。
【発明の詳細な説明】
【技術分野】
【０００１】
本発明は、枚葉輪転印刷機における給紙装置等に使用されるシート状物押え装置であって、シート押え部材が積載されたシート状物を押える押え位置と、この押え位置から退避する退避位置とに移動するシート状物押え装置に関するものである。
【背景技術】
【０００２】
従来の枚葉輪転印刷機におけるシート状物押え装置は、回転自在に支持されたカムと、このカムのカム面に当接するカムフォロアを有し、カムの回転動作により移動するレバーと、このレバーに支持されカムの回転動作により、積載されたシート状物を押える押え位置と、この押え位置から退避した退避位置との間で移動自在に支持されたシート押え部材と、前記レバーと支持部材との間に設けられレバーを付勢することによりカムフォロアをカム面に圧接させる付勢手段とを備えている。
【発明の開示】
【発明が解決しようとする課題】
【０００３】
上述した従来のシート状物押え装置においては、１つの付勢手段によってカムフォロアをカム面に圧接する構造であるため、この付勢手段の付勢力を大きくすると、シート状物を押える押圧力が大きくなりすぎてシート押え部材によってシート状物に傷を付けてしまうという問題があった。一方、付勢手段の付勢力を小さくすると、カム面に対するカムフォロアの圧接力が不足し、特にカムフォロアが大径部から小径部へと移動するときに、カムフォロアがカム面に追従できずにカム面から離間する、いわゆるカム飛びが発生するという問題が起きる。
【０００４】
本発明は上記した従来の問題に鑑みなされたものであり、その目的とするところは、シート状物に傷を付けないようにするとともにカム飛びを防止したシート状物押え装置を提供するところにある。
【課題を解決するための手段】
【０００５】
この目的を達成するために、請求項１に係る発明は、カム面を有し回転自在に支持されたカムと、前記カム面に当接するカムフォロアを支持し、前記カムの回転動作により移動するレバーと、このレバーに支持され、前記カムの回転動作により、積載されたシート状物を押さえる押え位置と、この押え位置から退避した退避位置との間で移動自在に支持されたシート押え部材と、前記レバーと支持部材との間に設けられ、前記レバーを付勢することにより前記カムフォロアを前記カム面に圧接させる付勢手段とを備えたシート状物押え装置において、前記付勢手段は、第１の付勢手段と、この第１の付勢手段よりも付勢力が大きい第２の付勢手段とからなり、前記第１の付勢手段は、前記シート押え部材が前記押え位置に位置したときの前記カム面に対する前記カムフォロアの付勢を行い、前記第１および第２の付勢手段は、前記シート押え部材が前記退避位置に位置したときの前記カム面に対する前記カムフォロアの付勢を行う。
【０００６】
請求項２に係る発明は、請求項１に係る発明において、前記付勢手段は、前記レバーに一端部が摺動自在に支持され、前記支持部材に他端部が摺動自在に支持されたシャフトと、第１の付勢手段と、この第１の付勢手段の弾発力よりも大きい弾発力を有する第２の付勢手段とを備え、前記第１の付勢手段は、前記シャフトと前記レバーとの間に弾装され、前記第２の付勢手段は、前記シャフトと前記支持部材との間に弾装され、前記レバーと前記シャフトとの間に、前記レバーが前記第１の付勢手段の弾発力に抗して移動することにより、前記シャフトを前記第２の付勢手段の弾発力に抗して前記レバーと一体的に移動させる係合手段を設けたものである。
【０００７】
請求項３に係る発明は、請求項２に係る発明において、前記第１の付勢手段の弾発力を、前記シート押え部材が前記押え位置に位置したときにシート押え部材によってシートを変形させない強さとし、前記第２の付勢手段の弾発力を、前記シート押え部材が前記退避位置に位置したときから前記シート押え部材が前記押え位置に位置する方向へ移動したときに前記カムフォロアを前記カム面から離間させない強さとしたものである。
【発明の効果】
【０００８】
本発明によれば、シート押え部材が押え位置に位置するときは、シート押え部材が付勢力の小さい第１の付勢力によってシートを押えるため、シート押え部材によってシートの表面に傷を付けるようなことはない。また、シート押え部材が退避位置に位置するときは、付勢力の大きい第２の付勢力と第１の付勢力とによってカムフォロアをカム面に圧接するようにしたため、カムフォロアがカム面から離間するカム飛びの発生を阻止することができる。
【発明を実施するための最良の形態】
【０００９】
以下、本発明の実施の形態を枚葉輪転印刷機のサッカー装置に実施した例に基づいて説明する。図１は本発明に係るシート状物押え装置の正面図、図２は同じく側面図でシート押え部材がシートを押え位置に位置付けられた状態を示し、図３は動作を説明する側面図で、同図（Ａ）はシート押え部材が押え位置と退避位置との間を切り替わる状態を示し、同図（Ｂ）はシート押え部材が退避位置に位置付けられた状態を示し、図４はカム面に対接するカムフォロアの圧接力が切り替わる状態を説明するための図である。
【００１０】
図１に全体を符号１で示すシート状物押え装置は支持部材としてのサッカーフレーム２を備えており、このサッカーフレーム２は互いに対向する側板３，４と、これら側板３，４間に横架されたロッド５とを備え、側板３がブラケット６を介して給紙装置のフレーム（図示せず）に取り付けられている。７は一端側がロッド５に固定された支持体であって、図２に示すように他端部に支持孔８が設けられている。
【００１１】
９は貫通孔９ａが設けられた第２のばね受けであって、一体に突設された軸部９ｂを介して支持体７の支持孔８に枢支されている。図１において、１１はサッカーフレーム２の両側板３，４間にベアリング１２，１２を介して回転自在に支持された回転軸である。１３は一端側が回転軸１１に軸着され、この回転軸１１を揺動中心として揺動自在に支持された揺動部材であって、他端部に軸１６を介して連結部材１５が枢着されている。この連結部材１５の他端には、ねじ１７を介してシート押え部材１８が取り付けられており、このシート押え部材１８は、後述するようにカム２６の回転により、積載されたシート状物１９を押える図２に示す押え位置と、この押え位置から退避した図３（Ｂ）に示す退避位置との間で移動自在に支持されている。
【００１２】
２２は中央部が軸２３を介してサッカーフレーム２の両側板３，４間に回転自在に支持されたレバーであって、一端側にピン２４を介して上記した連結部材１５の中央部が枢着されており、他端側にカムフォロア２５が枢着されている。このカムフォロア２５は、後述する第１および第２の付勢手段としての第１および第２の圧縮コイルばね３１，３２の弾発力によって、回転するカム２６のカム面２７に圧接されている。カム面２７には、等円状に形成された低いカムである小径部２７ａと、等円状に形成された高いカムである大径部２７ｂと、これら小径部２７ａと大径部２７ｂとを連設している傾斜部２７ｃとによって形成されている。
【００１３】
２８は貫通孔２８ａが設けられた第１のばね受けであって、一体に突設された軸部２８ｂを介して、レバー２２の軸２３とピン２４との間に設けた支持孔２２ａに枢支されており、矢印Ａ方向の端面には係合面２８ｃが形成されている。３０は細長く形成されたシャフトであって、一端部にねじ部３０ａが形成され、中間部に径が大きく形成された大径部３０ｂが設けられており、この大径部３０ｂの一端部にはフランジ３０ｃが設けられ、他端には段部３０ｄが形成されている。
【００１４】
このシャフト３０は、一端部が上記した第２のばね受け９の貫通孔９ａに摺動自在に支持され、他端部が上記した第１のばね受け２８の貫通孔２８ａに摺動自在に支持されており、このシャフト３０の段部３０ｄと第１のばね受け２８の係合面２８ｃとが対向している。これら第１のばね受け２８の係合部２８ｃとシャフト３０の段部３０ｄとが、請求項２に記載された係合手段に相当する。
【００１５】
また、このシャフト３０のフランジ３０ｃと第１のばね受け２８との間には第１の圧縮コイルばね３１が弾装され、フランジ３０ｃと第２のばね受け９との間には第２の圧縮コイルばね３２が弾装されている。したがって、シャフト３０は第２のばね受け９から第２の圧縮コイルばね３２の弾発力によって矢印Ｂ方向へ付勢され、かつシャフト３０は第１の圧縮コイルばね３１の弾発力によって第１のばね受け２８を矢印Ｂ方向へ付勢している。
【００１６】
第１の圧縮コイルばね３１の弾発力は、第２の圧縮コイルばね３２の弾発力よりも小さく設定されている。また、第１の圧縮コイルばね３１の弾発力は、上記したシート押え部材１８が積載されたシート１９を押える押え位置に位置したときに、シート押え部材１８によってシート１９を変形させない強さに設定されている。また、第２の圧縮ばね３２の弾発力は、シート押え部材１８が押え位置から退避した退避位置に位置したときからシート押え部材１８が押え位置に位置する方向へ移動するときに、カムフォロア２５をカム２６のカム面２７から離間させない強さに設定されている。
【００１７】
３３，３３はねじ部３０ａに螺合したダブルナットであって、第２のばね受け９に係合することにより、第２の圧縮コイルばね３２の弾発力によって矢印Ｂ方向へ付勢されたシャフト３０の矢印Ｂ方向への移動を規制する。また、このダブルナット３３，３３のねじ部３０に対する螺合量を調整することにより、第２のばね受け９とシャフト３０のフランジ３０ｃとの間隔が調整され、シャフト３０に対する第２の圧縮コイルばね３２の弾発力の大きさを調整することができる。
【００１８】
また、カムフォロア２５がカム２６の小径部２７ａに添接しているときは、レバー２２が軸２３を中心として図２中反時計方向に回動し、第１のばね受け２８の係合面２８ｃと、シャフト３０の段部３０ｃとの間に間隔Ｌが形成されるように構成されている。したがって、この状態においては、第１のばね受け２８に対する矢印Ｂ方向への付勢力は、フランジ３０ｃと第２のばね受け９との間に弾装されている第１の圧縮コイルばね３１の弾発力のみによるものであり、レバー２２も第１の圧縮コイルばね３１の弾発力によって軸２３を中心として反時計方向へ付勢されている。
【００１９】
このカムフォロア２５がカム２６の小径部２７ａに添接しているときは、シート押え部材１８は、図２に示すように連結部材１５を介して積載されたシート状物１９を押える押え位置に位置付けられる。一方、カムフォロア２５が回転カム２６の大径部２７ｂに対接することにより、レバー２２は後述するように第２の圧縮コイルばね３２の弾発力に抗して軸２３を中心として図２中時計方向に付勢される。したがって、連結部材１５が揺動部材１３を介して回転軸１１を中心として時計方向に回動し、シート押え部材１８が押え位置から退避した退避位置（図３（Ｂ）に示す状態）に位置付けられる。
【００２０】
次に、このように構成されたシート状物押え装置において、シート押え部材がシート押え位置と退避位置との間を移動する動作について説明する。カム２６が回転し、カムフォロア２５がカム面２７の小径部２７ａに対接しているときは、上述したように、図２に実線で示すようにシート押え部材１８が積載されたシート状物１９を押える押え位置に位置付けられている。このとき、第１のばね受け２８の係合面２８ｃとシャフト３０の段部３０ｃとが間隔Ｌだけ離間しており、ダブルナット３３と第２のばね受け９との間には隙間が形成されていない。
【００２１】
第２の圧縮コイルばね３２の弾発力が、第１の圧縮コイルばね３１の弾発力よりも大きく設定されているため、シャフト３０は第２の圧縮コイルばね３２の弾発力によって矢印Ａ方向への移動が阻止され、第１のばね受け２８が第１の圧縮コイルばね３１の弾発力に抗して矢印Ａ方向へ移動可能となる。したがって、カムフォロア２５が小径部２７ａに対接している間は、第１のばね受け２８を介してレバー２２が受ける付勢力は、図４に（イ）で示すように、第１の圧縮コイルばね３１のみの弾発力による圧接力Ｐ１の最小値となる。上述したように、第１の圧縮コイルばね３１の弾発力を、シート押え部材１８が積載されたシート１９を押える押え位置に位置したときに、シート押え部材１８によってシート１９を変形させない強さに設定しているため、シート押え部材１８によってシート状物を変形させたり、表面に傷を付けたりするようなことがない。
【００２２】
この状態から、さらにカム２６が回動し、カムフォロア２５が小径部２７ａから傾斜部２７ｃに到達する以前の少し高くなったカムに対接すると、シート押え部材１８が図２において実線で示す押え位置と二点鎖線で示す位置との間に位置付けられる。このとき、第１のばね受け２８の係合面２８ｃとシャフト３０の段部３０ｃとの間隔はＬより小さくなり、ダブルナット３３と第２のばね受け９との間には隙間が形成されていない。この状態では、第１のばね受け２８を介してレバー２２が受ける付勢力は、図４に（イ）と（ロ）との間で示すように、第１の圧縮コイルばね３１のみの弾発力による圧接力Ｐ１となる。
【００２３】
この状態から、さらにカム２６が回動し、カムフォロア２５が傾斜部２７ｃに対接すると、レバー２２が第１の圧縮コイルばね３１の弾発力に抗して軸２３を中心として時計方向に回動し、第１のばね受け２８が矢印Ａ方向に移動して係合部２８ｃがシャフト３０の段部３０ｄに係合する。したがって、第１のばね受け２８の係合面２８ｃとシャフト３０の段部３０ｃとの間隔はなくなり、ダブルナット３３と第２のばね受け９との間には隙間が形成されていない。この状態では、第１のばね受け２８を介してレバー２２が受ける付勢力は、図４に（ロ）で示すように、第１の圧縮コイルばね３１のみの弾発力による圧接力Ｐ１の最大値となる。シート押え部材１８は図３（Ａ）において実線で示す位置に位置付けられる。
【００２４】
係合部２８ｃがシャフト３０の段部３０ｄに係合した後、さらにカム２６が回転し、カムフォロア２５が傾斜部２７ｃよりもわずかに高いカムに対接すると、シャフト３０が第１のばね受け２８と一体的に矢印Ａ方向へ移動し、ダブルナット３３と第２のばね受け９との間にはわずかな隙間が形成される。したがって、シャフト３０に第２の圧縮コイルばね３２の弾発力が付与され、第１のばね受け２８には、図４に（ハ）で示すように、第１の圧縮コイルばね３１の弾発力に第２の圧縮コイルばね３２の弾発力が加わった圧接力Ｐ２に相当する弾発力が付与されるように切り替わる。
【００２５】
さらにカム２６が回転し、カムフォロア２５がカム２６の傾斜部２７ｃと大径部２７ｂとの間で対接すると、シート押え部材１８は、図３（Ａ）と図３（Ｂ）とに示す位置の間に位置付けられる。この状態で、第１のばね受け２８の係合面２８ｃとシャフト３０の段部３０ｃとの間隔は形成されてなく、ダブルナット３３と第２のばね受け９との間には隙間が形成されており、カムフォロア２５がカム面２７に圧接される圧接力は、図４に（ハ）と（ニ）との間のＰ２となる。
【００２６】
さらにカム２６が回転し、カムフォロア２５がカム２６の大径部２７ｂに対接すると、シート押え部材１８は、図３（Ｂ）に示す退避位置に位置付けられる。この状態で、第１のばね受け２８の係合面２８ｃとシャフト３０の段部３０ｃとの間隔は形成されてなく、ダブルナット３３と第２のばね受け９との間には隙間が形成されており、カムフォロア２５がカム面２７に圧接される圧接力は、図４に（ニ）で示すＰ２の最大値となる。上述したように、第２の圧縮コイルばね３２の弾発力を、シート押え部材１８が退避位置に位置したときから押え位置に位置する方向へ移動したときに、カムフォロア２５をカム２６のカム面２７から離間させない強さに設定しているため、カムフォロア２５が大径部２７ｂに添接している間、カム飛びを防止することができる。
【００２７】
以上説明した、図４における（イ）から（ニ）に至る動作においては、レバー２２が図２中軸２３を中心として時計方向に回動し、この後カム２６が回転することにより、図４における（ニ）から（イ）に至る動作を行い、レバー２２は、図２中軸２３を中心として反時計方向に回動する。カム２６が回転し続けることにより、この図４における（イ）から（ニ）に至る動作と、図４における（ニ）から（イ）に至る動作が繰り返される。
【００２８】
このように、シート押え部材１８が押え位置に位置するときは、シート押え部材１８がシート状物を押える力が小さくなるから、シート押え部材１８によってシートの表面に傷を付けるようなことない。また、シート押え部材１８が退避位置に位置しているときから押え位置に位置するときには、カム面２７に対するカムフォロア２５の圧接力が大きくなるから、カムフォロア２５がカム面２７から離間するカム飛びの発生を阻止することができる。
【００２９】
なお、シート状物１９としては、紙またはフィルム状のシートあるいはアルミニウム板等、種々のものが使用可能である。
【図面の簡単な説明】
【００３０】
【図１】本発明に係るシート状物押え装置の正面図である。
【図２】本発明に係るシート状物押え装置の側面図でシート押え部材がシートを押え位置に位置付けられた状態を示す。
【図３】本発明に係るシート状物押え装置の動作を説明する側面図で、同図（Ａ）はシート押え部材が押え位置と退避位置との間を切り替わる状態を示し、同図（Ｂ）はシート押え部材が退避位置に位置付けられた状態を示す。
【図４】本発明に係るシート状物押え装置において、カム面に対接するカムフォロアの圧接力が切り替わる状態を説明するための図である。
【符号の説明】
【００３１】
１…シート状物押え装置、２…サッカーフレーム、９…第２のばね受け、１８…シート押え部材、１９…シート状物、２２…レバー、２５…カムフォロア、２６…カム、２７…カム面、２７ａ…小径部、２７ｂ…大径部、２７ｃ…境界点、２８…第１のばね受け、２８ｃ…係合面、３０…シャフト、３０ｃ…フランジ、３０ｄ…段部、３１…第１の圧縮コイルばね、３２…第２の圧縮コイルばね。
【図１】
2006347701.tif 000003
【図２】
2006347701.tif 000004
【図３】
2006347701.tif 000005
【図４】
2006347701.tif 000006